(57)【特許請求の範囲】
【請求項１】
ネットワークに接続するためのオプションボードを装備することが可能な画像処理装置において、原稿を読み取る読取手段と、読取手段で読み取った画データを処理する画像処理手段と、電源を供給する電源供給手段と、オプションボードの有無に基づいて、省エネルギーモードを異ならしめる制御手段とを備え、
オプションボードが装備されている場合、読取手段はネットワークスキャナとして使用可能とされ、制御手段は、ネットワークに接続される外部機器からのコマンド指示に含まれるパラメータを画像処理手段に設定する構成となっており、省エネルギーモードで電源供給手段から読取手段への電源供給を遮断すると共に画像処理手段への電源供給を維持し、
オプションボードが装備されていない場合、制御手段は省エネルギーモードで電源供給手段から読取手段及び画像処理手段への電源供給を遮断する画像処理装置。
【請求項２】
ネットワークに接続するためのオプションボードを装備することが可能な画像処理装置において、画データを記録する記録手段と、記録手段で記録するときの画データを処理する画像処理手段と、電源を供給する電源供給手段と、オプションボードの有無に基づいて、省エネルギーモードを異ならしめる制御手段とを備え、
オプションボードが装備されている場合、記録手段はネットワークプリンタとして使用可能とされ、制御手段は、ネットワークに接続される外部機器からのコマンド指示に含まれるパラメータを画像処理手段に設定する構成となっており、省エネルギーモードで電源供給手段から記録手段への電源供給を遮断すると共に画像処理手段への電源供給を維持し、
オプションボードが装備されていない場合、制御手段は省エネルギーモードで電源供給手段から記録手段及び画像処理手段への電源供給を遮断する画像処理装置。
【請求項３】
請求項２に記載の画像処理装置において、加熱定着器と、画像処理装置の動作状態を示す表示部とをさらに備え、
制御手段は、オプションボードが装備されているか否かに拘わらず、省エネルギーモード中に省エネルギーモードを解除する復帰要因が発生した場合、加熱定着器の温度を通常モード時の温度より低下させるとともに表示部の表示を消去している状態である待機モードに移行させた後、動作指示があったときに待機モードから通常モードに移行させる構成となっており、オプションボードが装備されている場合において、省エネルギーモード中に復帰要因としてネットワークプリントの指示があったときには、省エネルギーモードから待機モードを経由することなく通常モードに移行させる画像処理装置。
【請求項４】
請求項１〜請求項３のうちいずれか一項に記載の画像処理装置において、記録紙カセットと、記録紙カセット内の記録紙の有無を検出する記録紙有無センサとをさらに備え、制御手段は、省エネルギーモード中に記録紙有無センサからの検出信号に基づいて、所定の記録紙が無い場合は、該記録紙が補充されるまで省エネルギーモードを維持させる画像処理装置。
【発明の詳細な説明】
【０００１】
【発明の属する技術分野】
本発明は、複写機能付きファクシミリ装置（以下、複合機という）等に代表される画像処理装置に関し、より詳しくは、適切な省エネルギーモード（以下、省エネモードという）に移行することに特徴を有する画像処理装置に関するものである。
【０００２】
【従来の技術】
近年、複合機やコピー機等の画像処理装置は、省エネルギーを図るために、電源が入っている状態で所定時間が使用されない場合には、読取や記録に必要な回路への電源供給を遮断して省エネルギー状態にする、いわゆる省エネモードを備えている。一方、ＬＡＮ等のネットワークに接続するためのオプションボードを複合機等に装備して、パーソナルコンピュータ（以下、パソコンという）からの指示に基づき複合機等をネットワークスキャナやネットワークプリンタとして利用する場合もある。
【０００３】
【発明が解決しようとする課題】
このため、オプションボードが装備された場合には、パソコンからの指示に直ぐに対応する必要があるため、省エネモードに移行しても、オプションボードやパソコンからのコマンド指示に含まれるパラメータを設定する画像処理に関する回路への電源供給を遮断することはできない。従って、複合機等にオプションボードが装備されているか否かによって、電源供給を遮断する回路が異なる。
【０００４】
本発明は、このような問題点に着目してなされたものであって、その目的は、オプションボードの有無に基づいて、適切な省エネモードに移行することが可能な画像処理装置を提供することにある。
【０００５】
【課題を解決するための手段】
上記の目的を達成するために、請求項１に記載の発明では、ネットワークに接続するためのオプションボードを装備することが可能な画像処理装置において、原稿を読み取る読取手段と、読取手段で読み取った画データを処理する画像処理手段と、電源を供給する電源供給手段と、オプションボードの有無に基づいて、省エネルギーモードを異ならしめる制御手段とを備え、オプションボードが装備されている場合、読取手段はネットワークスキャナとして使用可能とされ、制御手段は、ネットワークに接続される外部機器からのコマンド指示に含まれるパラメータを画像処理手段に設定する構成となっており、省エネルギーモードで電源供給手段から読取手段への電源供給を遮断すると共に画像処理手段への電源供給を維持し、オプションボードが装備されていない場合、制御手段は省エネルギーモードで電源供給手段から読取手段及び画像処理手段への電源供給を遮断する。
【０００６】
請求項２に記載の発明では、ネットワークに接続するためのオプションボードを装備することが可能な画像処理装置において、画データを記録する記録手段と、記録手段で記録するときの画データを処理する画像処理手段と、電源を供給する電源供給手段と、オプションボードの有無に基づいて、省エネルギーモードを異ならしめる制御手段とを備え、オプションボードが装備されている場合、記録手段はネットワークプリンタとして使用可能とされ、制御手段は、ネットワークに接続される外部機器からのコマンド指示に含まれるパラメータを画像処理手段に設定する構成となっており、省エネルギーモードで電源供給手段から記録手段への電源供給を遮断すると共に画像処理手段への電源供給を維持し、オプションボードが装備されていない場合、制御手段は省エネルギーモードで電源供給手段から記録手段及び画像処理手段への電源供給を遮断する。
【０００７】
請求項３に記載の発明では、請求項２に記載の画像処理装置において、加熱定着器と、画像処理装置の動作状態を示す表示部とをさらに備え、制御手段は、オプションボードが装備されているか否かに拘わらず、省エネルギーモード中に省エネルギーモードを解除する復帰要因が発生した場合、加熱定着器の温度を通常モード時の温度より低下させるとともに表示部の表示を消去している状態である待機モードに移行させた後、動作指示があったときに待機モードから通常モードに移行させる構成となっており、オプションボードが装備されている場合において、省エネルギーモード中に復帰要因としてネットワークプリントの指示があったときには、省エネルギーモードから待機モードを経由することなく通常モードに移行させる。
請求項４に記載の発明では、請求項１〜請求項３のうちいずれか一項に記載の画像処理装置において、記録紙カセットと、記録紙カセット内の記録紙の有無を検出する記録紙有無センサとをさらに備え、制御手段は、省エネルギーモード中に記録紙有無センサからの検出信号に基づいて、所定の記録紙が無い場合は、該記録紙が補充されるまで省エネルギーモードを維持させる。
【０００８】
【発明の実施の形態】
以下に、本発明に係る画像処理装置を複合機に具体化した一実施形態を図面を用いて説明する。
【０００９】
図１に示すように、複合機１は、ＭＰＵ１１、ＲＯＭ１２、ＲＡＭ１３、読取部１４、記録部１５、操作部１６、表示部１７、画像メモリ１８、モデム１９、ＮＣＵ（網制御回路）２０、画像処理部２１、オプションボードスロット部２２、ＡＤＦ（Ａｕｔｏｍａｔｉｃ  Ｄｏｃｕｍｅｎｔ  Ｆｅｅｄｅｒ  ）センサ２３、開閉センサ２４、及び電源回路２５から構成されるとともに、各部１１〜２２がバス２６を介してそれぞれ接続されている。
【００１０】
ＭＰＵ１１は、複合機１を構成する各部を制御する。ＲＯＭ１２は、複合機１を制御するためのプログラムを記憶する。ＲＡＭ１３は、複合機１に関する各種情報を一時的に記憶する。
【００１１】
読取部１４は、原稿上の画像データを読み取って、イメージ信号を出力する。すなわち、読取部１４は、モータ３１、ランプ３２、ＣＣＤ３３、及びスキャナ制御部３４から構成されている。モータ３１は、原稿台に載置された原稿を搬送する。ランプ３２は、その搬送された原稿に光を照射する。ＣＣＤ３３は、原稿からの反射光に基づいて原稿上の画像を読み取る。スキャナ制御部３４は、読取部１４を構成する各部の動作を制御する。
【００１２】
記録部１５は、電子写真方式のプリンタよりなり、受信画データの記録動作やコピー動作において、受信された画データあるいは読取部１４にて読み取られた原稿の画データを記録紙上に記録する。すなわち、記録部１５は、レーザスキャナユニット４１、高電圧発生回路４２、モータ４３、及びプリンタ制御部４４から構成されている。レーザスキャナユニット４１は、感光体ドラムにレーザビームを照射する。高電圧発生回路４２は、転写器や加熱定着器に高電圧を供給する。モータ４３は、記録紙を記録紙カセットから感光体ドラムへ搬送し、画データを記録した後の記録紙を排出する。プリンタ制御部４４は、記録部１５を構成する各部の動作を制御する。
【００１３】
操作部１６は、通常モードから待機モードに移行させるための節電キー１６ａ、電話番号等を入力するためのテンキー（＊，＃キーを含む）、短縮番号の登録、短縮番号から発信するための短縮キー、原稿の読み取り動作を開始させるためのスタートキー、「通信（ＦＡＸ）」動作又は「コピー」動作を設定するための通信／コピーキー等の各種操作キーを備えている。
【００１４】
ＬＣＤ（液晶ディスプレイ）よりなる表示部１７は、複合機１の動作状態等を示す各種情報の表示を行う。
画像メモリ１８は、受信画データや読取部１４で読み取られて２値化され、符号化された画データを一時的に記憶する。
【００１５】
モデム１９は、ＩＴＵ（国際電気通信連合）−Ｔ勧告Ｔ．３０に従ったファクシミリ伝送制御手順に基づいて、Ｖ．１７，Ｖ．２７ｔｅｒ，Ｖ．２９等のいずれかに従った送信データの変調及び受信データの復調を行う。ＮＣＵ２０は、電話回線Ｌとの接続を制御するとともに、相手先の電話番号等に対応したダイヤル信号を送出する機能及び着信を検出するための機能を備えている。
【００１６】
画像処理部２１は、読取部１４で読み取った原稿の画データや、記録部１５で記録紙に記録するときの画データを処理する。すなわち、画像処理部２１は、コーデック５１、スキャナ画像処理回路５２、ＳＤＲＡＭ５３、メモリ制御回路５４、及びプリンタ画像処理回路５５から構成されている。コーデック５１は、読取部１４にて読み取られた画データを送信のためにＭＨ，ＭＲ，ＭＭＲ方式等に従って符号化（エンコード）するとともに、受信画データを復号（デコード）する。スキャナ画像処理回路５２は、ＣＣＤ３３で読み取った原稿のイメージ信号を、シェーディング補正、地色補正、ガンマ補正してから２値化し、コーデック５１及びメモリ制御回路５４に出力する。また、ネットワークに接続されたパソコン等の指示に基づき、指定された形式、すなわち指定された解像度、階調（２値又はグレースケール）のイメージデータを生成する。ＳＤＲＡＭ５３は、画像メモリ１８の符号化された画データをイメージデータに展開する場合等に用いる。メモリ制御回路５４は、ＳＤＲＡＭ５３の制御を行う。プリンタ画像処理回路５５は、画像メモリ１８に記憶された後コーデック５１で復号された画データやネットワークに接続されたパソコン等からの画データの画像処理を行い、その画像処理を施した画データをレーザスキャナユニット４１に出力する。具体的には、プリンタ画像処理回路５５は、画データの拡大、縮小、解像度変換、スムージング処理等の画像処理を行う。
【００１７】
オプションボードスロット部２２には、ネットワークに接続するためのオプションボード６０が装備される。すなわち、このオプションボード６０をオプションボードスロット部２２に装備すると、複合機１がネットワークに接続される。
【００１８】
ＡＤＦセンサ２３は、原稿が原稿台に載置された旨を検出して、その検出信号をＭＰＵ１１に出力する。
開閉センサ２４は、記録紙カセットの開閉や、側面カバー或いは前面カバー等の開閉状態を検出して、その検出信号をＭＰＵ１１に出力する。
【００１９】
電源回路２５は、各モード、つまり、通常モード、待機モード、又は省エネモードに基づいて、複合機１を構成する各部１１〜２４に電源を供給する。
次に、通常モードから待機モードを経て省エネモードに移行した後、省エネモードから待機モードを経て通常モードに復帰するときの動作について、図２に示すフローチャートを用いて説明する。なお、この動作は、ＲＯＭ１２に記憶されたプログラムに基づき、ＭＰＵ１１の制御により実行される。
【００２０】
ステップＳ１においては、読取部１４での読取動作や記録部１５での記録動作等が終了してから所定時間が経過した場合、又は節電キー１６ａが操作された場合には、ステップＳ２に移行する。
【００２１】
ステップＳ２においては、通常モードから待機モードに移行する。ここで、通常モードとは、何らかの動作指示があった場合には、その動作指示に基づいて直ぐに処理を実行できる状態をいう。具体的には、操作部１６からコピーの動作指示があった場合には、直ぐにコピー処理を実行できる状態をいう。一方、待機モードとは、加熱定着器の温度を所定温度まで低下させるとともに、表示部１７の表示を消去している状態をいう。従って、待機モード中に、例えばコピーの動作指示等があった場合には、加熱定着器の温度を定着温度まで昇温するとともに、表示部１７を点灯する。そして、加熱定着器が所定温度に達すると、コピー動作が開始される。
【００２２】
ステップＳ３においては、待機モードに移行してから所定時間が経過したか否かが判断される。そして、所定時間が経過した場合は、ステップＳ４に移行する。所定時間が経過していない場合は、前記ステップＳ２に戻って、待機モードが維持される。
【００２３】
ステップＳ４においては、オプションボード６０が装備されているか否かが判断される。具体的には、オプションボード６０が装備されている場合には、オプションボード６０が装備された旨の検出信号がＭＰＵ１１に出力される。その結果、この検出信号に基づいて、オプションボード６０が装備されているか否かが判断される。オプションボード６０が装備されている場合は、ステップＳ５に移行する。一方、  オプションボード６０が装備されていない場合は、ステップＳ６に移行する。
【００２４】
ステップＳ５においては、オプションボード６０の装備時における省エネモードに移行する。具体的には、図１に示すように、電源回路２５から２点鎖線で示す読取部１４及び記録部１５への電源供給が遮断されるが、電源回路２５から破線で示す画像処理部２１への電源供給は遮断されない。すなわち、オプションボード６０が装備されている場合は、パソコンからのコマンド指示に含まれるパラメータを画像処理部２１に設定する必要がある。つまり、読取部１４をネットワークスキャナとして、記録部１５をネットワークプリンタとして、それぞれ使用する場合には、読取部１４からの画データをスキャナ画像処理回路５２で処理する必要があり、画像処理を行った画データを記録部１５に送出する必要がある。このため、画像処理部２１への電源供給を遮断することはできない。そこで、読取部１４及び記録部１５への電源供給のみを遮断しているのである。
【００２５】
すなわち、読取部１４への電源供給を遮断しても、読取部１４をネットワークスキャナとして使用する場合には、ＡＤＦセンサ２３の検出信号に基づいて、電源回路２５から読取部１４に電源を供給すれば、読取部１４を直ぐに起動させることができる。また、記録部１５をネットワークプリンタとして使用する場合であっても、オプションボード６０でパソコンからのコマンド指示を検出した後、電源回路２５から記録部１５に電源を供給すれば、記録部１５を直ぐに起動させることができる。しかも、記録部１５をネットワークプリントとして使用する場合には、パソコンからプリント指示を行った後、プリントアウトされた記録紙を複合機１まで取りに行く必要がある。つまり、プリント指示してからプリントアウトされるまでの時間を有効に利用すれば、記録部１５の加熱定着器等を昇温することもできる。仮に、プリント指示した画データが未だ複合機１でプリントアウトされていない場合であっても、暫く待てばプリント指示した画データは、必ずプリントアウトされる。そこで、オプションボード６０の装備時における省エネモードであっても、より一層の省エネを図るため、敢えて読取部１４及び記録部１５への電源供給を遮断しているのである。
【００２６】
ステップＳ６においては、オプションボード６０の非装備時における省エネモードに移行する。具体的には、図１に示すように、電源回路２５から２点鎖線で示す読取部１４及び記録部１５への電源供給と、電源回路２５から破線で示す画像処理部２１への電源供給とが遮断される。すなわち、オプションボード６０が装備されていない場合は、読取部１４がネットワークスキャナとして、記録部１５がネットワークプリンタとして、それぞれ使用されることはない。このため、読取部１４、記録部１５、及び画像処理部２１への電源供給を遮断しても、何ら問題は発生しない。そこで、読取部１４、記録部１５、及び画像処理部２１への電源供給を遮断しているのである。
【００２７】
ステップＳ７においては、省エネモードを解除する復帰要因が発生したか否かが判断される。ここで、復帰要因としては、オプションボード６０の有無に拘わらず、ＦＡＸ着信を検出した場合、開閉センサ２４が記録紙カセットの開閉やカバーの開閉を検出した場合、ＡＤＦセンサ２３で原稿を検出した場合、操作部１６からキー入力があった場合等が挙げられる。一方、オプションボード６０を装備している場合の復帰要因としては、パソコンからのプリント指示、つまりネットワークプリントの指示がオプションボード６０で検出された場合、読取部１４をネットワークスキャナとして利用するために、原稿が原稿台に載置されて、パソコンからの指示がオプションボード６０を介して検出された場合等が挙げられる。そして、復帰要因が発生した場合は、ステップＳ８に移行する。一方、復帰要因が発生していない場合は、前記ステップＳ４に戻って、オプションボード６０の有無に基づく、省エネモードが維持される。
【００２８】
ステップＳ８においては、オプションボード６０の装備時における省エネモード、又はオプションボード６０の非装備時における省エネモードから待機モードへ移行する。
【００２９】
ステップＳ９においては、待機モードに移行した後、所定時間が経過したか否かが判断される。所定時間が経過した場合は、前記ステップＳ４に戻って省エネモードに移行する。一方、所定時間が経過していない場合は、ステップＳ１０に移行する。
【００３０】
ステップＳ１０においては、動作指示があったか否かが判断される。すなわち、例えばコピーの動作指示を行う場合において、原稿が原稿台に載置されても、操作部１６からキー入力されるまでは、待機モードを維持する。つまり、待機モードを長時間維持するために、コピーの動作指示があるまでは、待機モードから通常モードに移行しないようにしているのである。そこで、動作指示があったか否かを判断しているのである。従って、上記コピーの動作を取り止めた場合、つまり操作部１６からキー入力がなく、原稿台から原稿が取り除かれた場合等には、待機モードが維持される。そして、動作指示があった場合は、ステップＳ１１に移行する。一方、動作指示がない場合は、前記ステップＳ８に戻って、待機モードが維持される。
【００３１】
ステップＳ１１においては、待機モードから通常モードに移行される。
ステップＳ１２においては、前記ステップＳ１０において入力された動作指示に基づいて、処理が実行される。具体的には、前記ステップＳ７において、原稿が原稿台に載置された旨がＡＤＦセンサ２３で検出されると、前記ステップＳ８において省エネモードから待機モードに移行される。そして、前記ステップＳ１０において、スタートキーが操作された場合には、前記ステップＳ１１において待機モードから通常モードに移行された後、ステップＳ１２において、コピー動作が実行される。
【００３２】
以上、詳述したように本実施形態によれば、次のような作用、効果を得ることができる。
（１）オプションボード６０が装備されているか否かに基づいて、省エネモードが異なる。すなわち、オプションボード６０が装備されている場合は、省エネモードで電源回路２５から読取部１４及び記録部１５への電源供給を遮断している（Ｓ５）。一方、オプションボード６０が装備されていない場合は、省エネモードで電源回路２５から読取部１４、記録部１５、及び画像処理部２１への電源供給を遮断している（Ｓ６）。従って、オプションボード６０の有無に基づいて、適切な省エネモードに移行することができる。
【００３３】
（２）画像処理部２１には、読取部１４で読み取った画データの画像処理に関する回路と、記録部１５で記録する画データの画像処理に関する回路とが含まれている。すなわち、オプションボード６０が装備されている場合は、読取部１４をネットワークスキャナとして、記録部１５をネットワークプリンタとして、それぞれ使用される場合があるため、パソコンからのコマンド指示に含まれるパラメータを画像処理部２１に設定する必要がある。その結果、画像処理部２１への電源供給を遮断することはできない。一方、オプションボード６０が装備されていない場合は、読取部１４をネットワークスキャナとして、記録部１５をネットワークプリンタとして、それぞれ使用されることはないため、読取部１４、記録部１５、及び画像処理部２１への電源供給を遮断しても、何ら問題は発生しない。従って、オプションボード６０が装備されている場合は、読取部１４をネットワークスキャナとして、記録部１５をネットワークプリンタとして、それぞれ使用することができる。
【００３４】
（３）オプションボード６０の有無に基づいて、適切な省エネモードに移行している。このため、オプションボード６０の有無に拘わらず、省エネモードへ移行させるプログラムの共通化を図ることができる。その結果、複合機１は、オプションボード６０が装備されるか否かに拘わらず、省エネモードへ移行させるプログラムを変更する必要はない。従って、オプションボード６０の有無に拘わらず、複合機１の製造工程を共通化をも図ることができる。
【００３５】
（４）読取部１４での読取動作や記録部１５での記録動作等が終了してから所定時間が経過した場合、又は節電キー１６ａが操作された場合には、通常モードから待機モードに移行している。そして、待機モードに移行してから所定時間が経過した場合には、オプションボード６０の有無に拘わらず、省エネモードに移行している。その結果、複合機１が長時間使用されない場合は、より一層消費電力を抑制することができる。
【００３６】
（５）コピーの動作指示を行う場合において、原稿が原稿台に載置されても、操作部１６からキー入力されるまでは、待機モードを維持している（Ｓ８）。つまり、待機モードを長時間維持するため、コピーの動作指示があるまでは、待機モードから通常モードに移行しないようにしている。その結果、上記コピーの動作を取り止めた場合、つまり操作部１６からキー入力がなく、原稿台から原稿が取り除かれた場合等には、待機モードが維持される。そして、待機モードに移行してから所定時間が経過した場合には、省エネモードに移行される。従って、より一層消費電力を抑制することができる。
【００３７】
なお、前記実施形態は、次のように変更して具体化することも可能である。
・オプションボード６０を装備している場合において、省エネモード中にオプションボード６０でネットワークプリントの指示があったと判断した場合は、省エネモードから通常モードに移行するように構成しても良い。すなわち、ネットワークプリントの指示があった場合は、必ず記録部１５で記録紙に記録することを意味しているので、ネットワークプリントの指示があった時点で、記録部１５の加熱定着器等の昇温を開始すれば、いわゆるファーストプリントまでの時間を短縮することができる。
【００３８】
・ＦＡＸ着信、ネットワークプリントの指示等のように記録部１５で画データを記録紙に記録する場合において、記録紙カセット内の記録紙の有無を検出する、いわゆる記録紙有無センサからの検出信号に基づいて、所定の記録紙が無い場合は、記録紙が補充されるまで、省エネモードを維持する構成にしても良い。このように構成すれば、より一層消費電力を抑制することができる。
【００３９】
・通常モード又は待機モードから強制的に省エネモードに移行させる省エネキーを操作部１６に設けた構成にしても良い。
・加えて、２色ＬＥＤを内設した節電キー１６ａの操作回数に基づいて、待機モード及び省エネモードに移行させる構成にしても良い。具体的には、２色ＬＥＤ（緑色と赤色）を内設する節電キー１６ａを操作部１６に設け、節電キー１６ａが１回操作されたときは、待機モードに移行するとともにＬＥＤを待機モードである旨を示す緑色で発光し、節電キー１６ａが２回操作されたときは、省エネモードに移行するとともにＬＥＤを省エネモードである旨を示す赤色で発光する構成が考えられる。
【００４０】
さらに、上記実施形態より把握される技術的思想について、以下にそれらの効果と共に記載する。
〔１〕制御手段は、省エネモードを解除する復帰要因が発生した場合は、待機モードに移行させる画像処理装置。このように構成すれば、待機モードが長時間維持されるため、より一層消費電力を抑制することができる。
【００４１】
〔２〕制御手段は、省エネモードを解除する復帰要因が発生した場合は、待機モードに移行させた後、動作指示があったときに待機モードから通常モードに移行させる画像処理装置。このように構成すれば、動作指示があるまでは、待機モードを維持するため、より一層消費電力を抑制することができる。
【００４２】
なお、明細書中におけるネットワークには、例えばパソコン等の外部機器と複合機１とを直接接続して、複合機１をローカルプリンタやローカルスキャナとして使用する場合も含むものとする。
【００４３】
【発明の効果】
本発明は、以上のように構成されているため、次のような効果を奏する。
各請求項に記載の発明によれば、オプションボードの有無に基づいて、適切な省エネモードに移行することができる。
【図面の簡単な説明】
【図１】複合機の構成を示すブロック図。
【図２】通常モードから待機モードを経て省エネモードに移行した後、省エネモードから待機モードを経て通常モードに復帰するときの動作を示すフローチャート。
【符号の説明】
１…画像処理装置としての複合機、１１…制御手段を構成するＭＰＵ、１２…制御手段を構成するＲＯＭ、１３…制御手段を構成するＲＡＭ、１４…読取手段としての読取部、１５…記録手段としての記録部、２１…画像処理手段としての画像処理部、２５…電源供給手段としての電源回路。
【図１】
0003603801.tif 000002
【図２】
0003603801.tif 000003